(57)【要約】 【課題】  長い掃き幅を有することによってごみを効率よく掃き集めることができ、しかも掃き集めたごみを塵取りに掃き込む作業も行い易い、機能性に勝れたブラシ形箒を提供する。【解決手段】  細長い基台１０の下面に払掃用の繊維１１を植設することにより形成されたヘッド２と、このヘッド２に連結された柄３とを有するブラシ形箒において、上記ヘッドの基台１０を、中央の主台部１３と、この主台部１３の両端部に折曲自在に連結された補助台部１４，１４とにより形成し、この補助台部１４，１４を屈伸させて基台１０の長さを調節することによって箒の掃き幅Ｌ１，Ｌ２を調節自在とする。【選択図】        図１
2005270440.tif 000002
【特許請求の範囲】
【請求項１】
細長い基台の下面に払掃用の繊維を植設することにより形成されたヘッドと、このヘッドに連結された柄とを有し、上記ヘッドが、基台の長さを調節することによって清掃時の掃き幅を調節自在なるように構成されていることを特徴とするブラシ形箒。
【請求項２】
上記基台が、上記柄に連結された主台部と、該主台部の長手方向両端のうち少なくとも一端側に折曲自在に連結された補助台部とを有していて、この補助台部を屈伸させることによって基台の長さが調節自在であることを特徴とする請求項１に記載のブラシ形箒。
【請求項３】
上記補助台部が、上記主台部の一方の側面側に向けて折曲自在であることを特徴とする請求項２に記載のブラシ形箒。
【請求項４】
上記補助台部が、上記主台部の上面側に向けて折曲自在であることを特徴とする請求項２に記載のブラシ形箒。
【請求項５】
上記基台の主台部が、長さ方向の両端部に他の部分より台幅が広い広幅部を有し、この広幅部における繊維幅が他の部分よりも広いことを特徴とする請求項２，３，４の何れかに記載のブラシ形箒。
【発明の詳細な説明】
【技術分野】
【０００１】
本発明は、床や階段等を掃き掃除するのに適したブラシ形箒に関するものである。
【背景技術】
【０００２】
細長い基台の下面に払掃用の繊維を植設したヘッドと、このヘッドに連結された柄とからなるブラシ形の箒は、従来より公知である。このようなブラシ形箒は、基台の長さを自由に設計することができるため、様々なヘッド長即ち掃き幅を有する箒を簡単に製造することができ、掃き幅の長い箒であっても容易に得ることができる。そして、このように掃き幅の長い箒は、広い床面を清掃する場合に、ごみを効率よく掃き集めることができるので非常に便利である。
【０００３】
ところが、このように掃き幅の大きいブラシ形箒は、それを塵取りとセットで使用する場合に、その掃き幅が塵取りの掃込口の幅より大きいと、掃き集めたごみをこの掃込口から塵取り内にうまく掃き込むことができないため、却って使いにくい。また、上述のように広い床面を掃除するときは効率が良いが、階段などの狭い部分を掃除するときは、ヘッドがつかえて使いにくいという問題もある。
【発明の開示】
【発明が解決しようとする課題】
【０００４】
本発明の課題は、広い床面を掃除するときは長い掃き幅で効率よくごみを掃き集めることができ、また、掃き集めたごみを塵取りに掃き込む作業も行い易く、さらに、狭い場所でも使用することができる、機能性に勝れたブラシ形箒を提供することにある。
【課題を解決するための手段】
【０００５】
上記課題を解決するため、本発明のブラシ形箒は、細長い基台の下面に払掃用の繊維を植設することにより形成されたヘッドと、このヘッドに連結された柄とを有し、上記ヘッドが、基台の長さを調節することによって清掃時の掃き幅を調節自在なるように構成されていることを特徴とするものである。
【０００６】
また、本発明においては、上記基台が、上記柄に連結された主台部と、この主台部の長手方向両端のうち少なくとも一端側に折曲自在に連結された補助台部とを有していて、この補助台部を屈伸させることによって基台の長さが調節自在となっている。
【０００７】
この場合、上記基台の補助台部を、上記主台部の一方の側面側に向けて折曲自在とするか、あるいは、上記主台部の上面側に向けて折曲自在とすることができる。
【０００８】
また、本発明においては、上記基台の主台部が、長さ方向の両端部に他の部分より台幅が広い広幅部を有し、この広幅部における繊維幅も他の部分よりも広くなっている。
【発明の効果】
【０００９】
本発明のブラシ形箒は、ヘッドにおける基台の長さを調節することによって清掃時の掃き幅を調節自在としているため、広い床面上のごみを掃き集めるときには、掃き幅を長くして使用することにより効率よくごみを掃き集めることができ、掃き集めたごみを塵取りに掃き込むときや、階段のような狭い場所を掃除するときには、掃き幅を短くして使用することにより、上記掃き込み作業や狭い場所での清掃作業が行い易く、箒としての機能性に勝れる。
【発明を実施するための最良の形態】
【００１０】
図１〜図４は本発明に係るブラシ形箒の第１実施形態を示すもので、この箒１Ａは、細長い基台１０の下面に払掃用の多数の繊維１１を植設することにより形成されたヘッド２と、このヘッド２に該ヘッドの軸線を含む鉛直面内で起倒自在に連結された柄３とで構成されている。
【００１１】
上記ヘッド２の基台１０は、合成樹脂からなっていて、上記柄３を連結するための連結部１３ａを有する中央の主台部１３と、この主台部１３の長手方向の両側に位置する２つの補助台部１４，１４とに分かれており、これらの補助台部１４，１４が、上記主台部１３の両端に、縦向きの連結軸１５を有するヒンジ手段によって折曲自在なるように連結され、図３及び図４に示すように、該主台部１３の一方の側面側（背面側）に向けて折り畳むことができるようになっている。そして、これらの補助台部１４，１４を屈伸させて基台１０の長さを調節することにより、清掃時におけるヘッド２の長さ即ち箒の掃き幅Ｌ１及びＬ２を、長短に調節できるようになっている。
【００１２】
上記掃き幅は、上記繊維１１の毛先の広がり領域によって規定されるもので、厳密に言えば主台部１３及び補助台部１４の長さと若干異なるが、それらの間に極端な差はないため、実質的にこれらの主台部１３及び補助台部１４の長さと近似させて考えることができる。そして、図１及び図２のように主台部１３と補助台部１４，１４を一直線状に伸長したときの掃き幅Ｌ１は、これらの主台部１３と補助台部１４，１４とにおける繊維１１の毛先の広がり領域を加えた長さになり、図３及び図４のように上記補助台部１４，１４を折り畳んだときの掃き幅Ｌ２は、主台部１３のみにおける繊維１１の毛先の広がり領域と同じ長さになる。
【００１３】
ここで、上記主台部１３の長さは、補助台部１４，１４の長さより長く、その長さは一般的な塵取りの間口と同程度かそれより若干小さい程度である。これに対して上記補助台部１４の長さは、主台部１３の長さの略半分程度であって、２つの補助台部１４，１４同士は互いに同じ長さである。従って、図１及び図２のように補助台部１４，１４を伸長したときの掃き幅Ｌ１は、図３及び図４のように補助台部１４，１４を折り畳んだときの掃き幅Ｌ２の約２倍かそれより若干短くなる。しかし、上記主台部１３と補助台部１４，１４との長さの関係はこのようなものに限定されず、主台部１３の長さが塵取りの間口と同程度かそれより若干小さく形成されていれば、補助台部１４，１４の長さはこの主台部１３の長さの１／２以下であっても構わない。
【００１４】
上記主台部１３と各補助台部１４とを上述したように折曲自在に連結するため、この主台部１３の長手方向の両端面には凹溝１６が形成され、これに対して補助台部１４には、この凹溝１６に嵌合する凸壁１７が形成され、この凸壁１７が上記連結軸１５によって主台部１３に回動自在に連結されている。このとき上記連結軸１５を設ける位置は、上記凸壁１７の先端の基台背面側に偏寄した位置であり、これにより、上記補助台部１４，１４を主台部１３の背面側に向けて折り畳むことができる。
【００１５】
上記補助台部１４，１４を折り畳み位置に保持するため、各補助台部１４の側面には係合突子１８ａが形成され、この係合突子１８ａが主台部１３の側面に形成された係合孔１８ｂ内に嵌合、係止するようになっている。この場合、上記係合突子１８ａと係合孔１８ｂとは、弾力的に係脱するようになっていることが望ましい。
一方、上記各補助台部１４を主台部１３と一直線をなすように伸長したときには、上記凸壁１７の先端面１７ａが凹溝１６の奥壁１６ａに当接して基台１０の前面側に向けてそれ以上回動するのが規制され、逆向きには折れ曲がらないようになっている。この場合、補助台部１４，１４が伸長状態を維持して不必要に折り畳まれないようにするため、各補助台部１４と主台部１３とに、弾力的に係止し合う突起と窪みとからなる係合手段を設けておくことが望ましい。
【００１６】
上記主台部１３の長さ方向の両端部には、他の部分より台幅が広い広幅部１３ｂ，１３ｂが形成されていて、この広幅部１３ｂ，１３ｂにおいては、繊維幅Ｗも他の部分よりも広くなっている。このように主台部１３の両端に広幅部１３ｂ，１３ｂを形成して繊維幅Ｗを広げておくことにより、図４のように基台１０を折曲して箒の掃き幅Ｌ２を狭くした状態で階段等を清掃する場合に、この繊維幅Ｗの広い部分で角隅部にあるごみを確実に掃き出すことができるので、作業性が向上する。
【００１７】
上記繊維１１は、複数本が柱状に束ねられて繊維束ユニットの形にまとめられ、この繊維束ユニットが、上記基台１０の下面、即ち、主台部１３の下面と補助台部１４，１４の下面とに、所定の間隔をおいて列状に植設されている。この繊維束ユニットの列は、上記主台部１３の広幅部１３ｂ，１３ｂ以外の部分と補助台部１４，１４とにおいては２列設けられているが、上記広幅部１３ｂ，１３ｂでは３列設けられている。しかし、この繊維束ユニットの列の数はこのようなものに限定されない。
また、上記繊維１１としては、例えば、馬毛や、ポロプロピレンあるいはポリエチレン等の化学繊維が好適に使用され、それらは、単独で使用することも、適当な割合で混合して使用することもできる。
【００１８】
上記構成を有するブラシ形箒１Ａを使用して床面を清掃するに際し、該床面上のごみを掃き集めときは、図１及び図２に示すように、基台１０の主台部１３と補助台部１４，１４とを一直線状に伸長させることによって箒としての掃き幅Ｌ１を広くし、その状態でごみを掃き集める。そして、掃き集めたごみを塵取りに掃き込む際には、図３及び図４に示すように、上記補助台部１４を主台部１３の背面側に折り畳むことによって掃き幅Ｌ２を狭くし、その状態でごみを塵取り内に掃き込むようにする。このときの掃き幅Ｌ２は、基台１０の主台部１３の長さとほぼ同程度かそれよりやや長めになるが、この主台部１３の長さが一般的な塵取りの間口と同程度かそれより若干小さい程度に形成されているため、このように掃き幅を狭めた状態で使用することによって塵取り内へのごみの掃き込み作業を容易に行うことができる。
また、階段のような狭い場所を清掃するような場合にも、上述したように箒の掃き幅を狭めた状態で使用することにより、ヘッドが壁等にぶつかることがないため、作業を行い易い。
【００１９】
図５は、本発明に係るブラシ形箒の第２実施形態を、柄を省略してヘッド２のみについて示すもので、この箒１Ｂのヘッド２は、基台１０の補助台部１４，１４を主台部１３の上面側に向けて折曲自在としている点で、上記第１実施形態の箒１Ａと相違している。すなわち、上記主台部１３と補助台部１４，１４とが、水平な連結軸２０の回りに回動自在なるように連結されている。その他の構成は実質的に上記第１実施形態の箒１Ａと同じである。
なお、この箒１Ｂにおいても、上記各補助台部１４，１４は、例えば弾力的に係止し合う突起と窪みとからなる係止手段や、係脱操作が可能なフック等からなる係止手段等により、伸長位置と折畳位置とに係止可能とすることが望ましい。
【００２０】
なお、上記各実施形態においては、上記基台１０が、中央の主台部１３と、その両側に位置する互いに同じ長さの２つの補助台部１４，１４とで形成されているが、これら２つの補助台部１４，１４の長さは互いに異なっていても良い。あるいは、主台部１３の何れか一側だけに１つの補助台部を折曲自在に連結しても良い。
【図面の簡単な説明】
【００２１】
【図１】本発明に係るブラシ形箒の第１実施形態を示す側面図である。
【図２】図１に示す箒のヘッドの平面図である。
【図３】ヘッドを折曲する途中の過程を示す斜視図である。
【図４】折曲した状態のヘッドの平面図である。
【図５】本発明に係るブラシ形箒の第２実施形態を、柄を省略しかつヘッドを折曲した状態で示す側面図である。
【符号の説明】
【００２２】
１Ａ，１Ｂ      箒
２      ヘッド
３      柄
１０      基台
１１      繊維
１３      主台部
１３ｂ      広幅部
Ｌ１，Ｌ２      掃き幅
Ｗ      繊維幅
【図１】
2005270440.tif 000003
【図２】
2005270440.tif 000004
【図３】
2005270440.tif 000005
【図４】
2005270440.tif 000006
【図５】
2005270440.tif 000007